(57)【要約】【課題】  枠部に透明板ユニットを着脱可能に取り付けられるようにしつつ、受入部に異物が嵌らないようにすることができる遊技機を提供すること。【解決手段】  枠部１０は、透明板ユニット８の突出部３８を受け入れる受入空間を有する受入部４４と、突出部３８を受け入れる受入状態と受入空間を閉塞する閉塞状態との間で変化する閉塞部５０とを備え、閉塞部５０は、枠部１０に透明板ユニット８が取り付けられる場合に受入状態となり、枠部１０に透明板ユニット８が取り付けられていない場合に閉塞状態となる。【選択図】  図８
2013230207.tif 000002
【特許請求の範囲】
【請求項１】
遊技媒体が移動する遊技領域と、
前記遊技領域を遊技者が視認可能かつ接触不能にする透明板を有する透明板ユニットと、
前記透明板ユニットが着脱可能に取り付けられる枠部とを備えた遊技機であって、
前記枠部は、
前記透明板ユニットの突出部を受け入れる受入空間を有する受入部と、
前記突出部を受け入れる受入状態と前記受入空間を閉塞する閉塞状態との間で変化する閉塞部とを備え、
前記閉塞部は、
前記枠部に前記透明板ユニットが取り付けられる場合に前記受入状態となり、前記枠部に前記透明板ユニットが取り付けられていない場合に前記閉塞状態となることを特徴とする遊技機。
【請求項２】
請求項１において、
前記閉塞部は、
前記閉塞状態に付勢されていることを特徴とする遊技機。
【請求項３】
請求項１または２において、
前記閉塞部が前記受入状態である場合に特定位置において視認可能となり前記閉塞部が前記閉塞状態である場合に前記特定位置において視認不能となる特定部を更に備えることを特徴とする遊技機。
【発明の詳細な説明】
【技術分野】
【０００１】
本発明は、遊技機に関する。
【背景技術】
【０００２】
従来から、遊技球（遊技媒体）が移動する遊技領域を備え、遊技者の操作に応じて遊技領域に遊技球を発射する遊技機（ぱちんこ遊技機）が知られている。この種の遊技機では、遊技領域に設けられている始動入賞口に遊技球が入賞すると、抽選が行われるとともに、表示手段において図柄の変動表示が開始され、抽選結果に応じた態様で図柄が停止表示される。そして、図柄が特定の態様で停止表示された場合に大当たり状態となり、遊技領域に設けられている大入賞口が開いた状態に制御され、大入賞口への遊技球の入賞数に応じて遊技球が払い出される。
【０００３】
そしてこの種の遊技機には、遊技領域を遊技者が視認可能かつ接触不能にする透明板を有する透明板ユニットが、遊技機の前面を構成する枠部に対して着脱可能に取り付けられるものがある。そしてかかる構成を採用する遊技機では、透明板ユニットを枠部に対して着脱容易にするために、透明板ユニットの下端に突出部を設ける一方で、枠部には上方から突出部を受け入れることができるように上部が開口とされた受入部を設けているものがある（特許文献１参照）。
【先行技術文献】
【特許文献】
【０００４】
【特許文献１】特開２０１１−１６７３１１号公報
【発明の概要】
【発明が解決しようとする課題】
【０００５】
しかしかかる構成を採用する遊技機では、受入部の上部が開口とされているため受入部に異物が嵌ってしまうことがあり、このような場合には受入部が突出部を受け入れることができず、枠部に透明板ユニットを適切に取り付けることができない。また、異物が受入部に嵌ってしまうと、異物を受入部から取り除くのには手間がかかる。
【０００６】
本発明は、上記事情に鑑みてなされたものであり、その目的は、枠部に透明板ユニットを着脱可能に取り付けられるようにしつつ、受入部に異物が嵌らないようにすることができる遊技機を提供することにある。
【課題を解決するための手段】
【０００７】
（１）本発明は、遊技媒体が移動する遊技領域と、前記遊技領域を遊技者が視認可能かつ接触不能にする透明板を有する透明板ユニットと、前記透明板ユニットが着脱可能に取り付けられる枠部とを備えた遊技機であって、前記枠部は、前記透明板ユニットの突出部を受け入れる受入空間を有する受入部と、前記突出部を受け入れる受入状態と前記受入空間を閉塞する閉塞状態との間で変化する閉塞部とを備え、前記閉塞部は、前記枠部に前記透明板ユニットが取り付けられる場合に前記受入状態となり、前記枠部に前記透明板ユニットが取り付けられていない場合に前記閉塞状態となることを特徴とする遊技機に関するものである。
【０００８】
本発明では、閉塞部が受入状態となることにより、枠部に透明板ユニットを着脱可能に取り付けられるようにするとともに、閉塞部が閉塞状態となることにより、受入部に異物が嵌らないようにすることができる。
【０００９】
（２）本発明の遊技機では、前記閉塞部は、前記閉塞状態に付勢されているようにしてもよい。
【００１０】
このようにすれば、枠部から透明板ユニットが取り外されると、閉塞部が閉塞状態に自動的に復帰するようにすることができる。
【００１１】
（３）本発明の遊技機では、前記閉塞部が前記受入状態である場合に特定位置において視認可能となり前記閉塞部が前記閉塞状態である場合に前記特定位置において視認不能となる特定部を更に備えるようにしてもよい。
【００１２】
このようにすれば、枠部に透明板ユニットを取り付けた際には、特定部が視認可能となっているか否かを作業者が確認することにより、枠部に透明板ユニットが適切に取り付けられているか否かを確認することができる。
【図面の簡単な説明】
【００１３】
【図１】本発明の実施形態の遊技機の外観を示す斜視図である。
【図２】本発明の実施形態の遊技機の構造を示す斜視図である。
【図３】本発明の実施形態の遊技機のガラスユニットを示す斜視図である。
【図４】本発明の実施形態の遊技機のガラスユニットを前枠に取り付ける過程を示す斜視図である。
【図５】従来の遊技機の受入部を示す斜視図である。
【図６】従来の遊技機の受入部と突出部を示す斜視図である。
【図７】本発明の実施形態の遊技機の受入部と閉塞部を示す斜視図である。
【図８】本発明の実施形態の遊技機の閉塞部の動作を示す正面図である。
【図９】本発明の実施形態の遊技機の受入部と閉塞部と突出部を示す断面斜視図である。
【図１０】本発明の実施形態の遊技機の受入部が突出部を受け入れた状態を示す斜視図である。
【図１１】本発明の変形実施形態の遊技機の受入部と閉塞部を示す断面図である。
【発明を実施するための形態】
【００１４】
以下では、本発明の実施形態について説明する。なお、以下に説明する本実施形態は、特許請求の範囲に記載された本発明の内容を不当に限定するものではない。また本実施形態で説明される構成の全てが、本発明の必須の構成要件であるとは限らない。
【００１５】
図１は、本実施形態に係る遊技機の外観構成を示す斜視図である。本実施形態の遊技機は、遊技場から貸し出された遊技球を用いて遊技を行うものであり、遊技機の外縁を形成する外枠２と、遊技機の内部に設けられ、遊技球が移動する遊技領域４を形成する遊技盤６と、遊技盤６を遊技者が視認可能かつ接触不可能にするガラスユニット８（透明板ユニット）と、ガラスユニット８が取り付けられている前枠１０（枠部）を備えている。
【００１６】
そして前枠１０の前面のうちガラスユニット８を取り囲む部分は、光を透過する半透明の素材により構成されており、半透明の素材により構成されている部分の内部には、遊技を盛り上げるための演出光などを出力する複数の枠ランプ１２が設けられている。また、前枠１０の上部の左右および下部の左右には、遊技を盛り上げるための演出音などを出力するスピーカー１４が設けられている。
【００１７】
また前枠１０の下部中央には、遊技球を貯留するための上皿１６が設けられており、上皿１６の内側側面の左部には、遊技機から遊技者に遊技球を払い出すための払出口１８が設けられている。また前枠１０の下部右側には、グリップユニット２０が設けられており、遊技者がグリップユニット２０を遊技機に向かって右回りに回転させる操作を行うと、遊技機内部に設けられた図示しない発射装置が作動して、遊技領域４内に遊技球が発射されるようになっている。そして上皿１６の内側側面の右部には、上皿１６から遊技球を発射装置に供給するための供給口２２が設けられている。また上皿１６の下方には、上皿１６に遊技球を貯留しきれなくなった場合に余剰の遊技球を貯留しておく下皿２４が設けられている。
【００１８】
ここで前枠１０は、前枠１０の左辺および外枠２の左辺に沿った前枠軸２６を中心として外枠２に対して回転可能に取り付けられている。そして上皿１６の右方に設けられたシリンダー錠２８に鍵を差し込んで一方向に回転させると、施錠が解除されて前枠１０を外枠２に対して開くことができるようになっている。
【００１９】
図２は、前枠１０が外枠２に対して開いている状態であり、かつ前枠１０からガラスユニット８が取り外されている状態を示す斜視図である。図２に示すように、本実施形態の遊技機では、外枠２の右端（自由端）前面の上部と下部に、鉤状のフック３０が前方に突出するように設けられている。そして前枠１０が外枠２に対して閉じている状態では、前枠１０の右端（自由端）背面の上部と下部に設けられた引掛部３２にフック３０が引っ掛かることにより、前枠１０が外枠２に対して固定され、施錠された状態となる。
【００２０】
図３は、前枠１０から取り外された状態にあるガラスユニット８を示す斜視図である。図３に示すように、ガラスユニット８は、透明で板状のガラス板３４と、ガラス板３４の周囲を取り囲む樹脂製のガラス枠３６を備え、ガラス枠３６の底部の左右には、ガラス枠３６の底部から下方に突出するように突出部３８が設けられている。またガラス枠３６の上部の左右には、ガラス枠３６の上部から上方に延出するように延出面３９が設けられている。
【００２１】
そして図２に示すように、ガラスユニット８が取り付けられる前枠１０の前面開口４０の下端には、ガラスユニット８の底部を支持する支持面４２が形成されており、支持面４２の左右には、支持面４２がガラスユニット８（ガラス枠３６）の底部を支持している状態でガラスユニット８の突出部３８を受け入れる受入空間を形成する受入部４４が設けられている。そして左右の受入部４４のそれぞれは、左右の突出部３８のそれぞれを受け入れている状態では、前枠１０に対してガラスユニット８が適切な位置に位置決めされるようにガラスユニット８の移動を規制する。
【００２２】
また図２に示すように、前枠１０の背面の上部の左右には、長方形の支持部材４６が設けられており、左右の支持部材４６のそれぞれは、前枠１０に取り付けられている状態のガラスユニット８のガラス面に直交する支持軸４８を中心に回転可能に取り付けられている。そして左右の支持部材４６のそれぞれは、支持部材４６が下向きとなる場合に、図３に示すガラスユニット８の延出面３９と接触してガラスユニット８を支持する支持状態となり、支持部材４６が横向きとなる場合に、ガラスユニット８とは接触せずにガラスユニット８を解放する解放状態となる。
【００２３】
そして前枠１０にガラスユニット８を取り付ける際には、図４に示すように、まずは突出部３８が受入部４４に受け入れられるようにガラスユニット８の底部を前枠１０の支持面４２に接触させる。そして支持部材４６を解放状態にしつつ、ガラスユニット８の上部を前枠１０の上部に接触させ、支持部材４６を解放状態から支持状態に回転させる。すると、前枠１０の上部と支持部材４６がガラスユニット８の延出面３９を挟むようにして、前枠１０に対してガラスユニット８を固定することができる。こうして本実施形態の遊技機では、前枠１０が外枠２に対して開いている状態において、前枠１０に対してガラスユニット８を取り付けたり取り外したりすることができる。
【００２４】
図５は、従来の遊技機の受入部４４を示す拡大斜視図である。従来の遊技機や本実施形態の遊技機では、遊技機の製造時や、遊技機の店舗への設置時や、遊技機の調整時における検査等のために、前枠１０からガラスユニット８を取り外した状態で遊技領域４において遊技球を移動させたり、遊技機の内部で遊技球を移動させたりすることがある。ここで従来の遊技機の受入部４４は、図５に示すように、上方から突出部３８を受け入れることができるように上部が開口とされているため、遊技球が受入部４４に嵌ってしまうことがあり、このような場合には受入部４４が突出部３８を受け入れることができず、前枠１０にガラスユニット８を適切に取り付けることができない。また、遊技球が受入部４４に嵌ってしまうと、遊技球を受入部４４から取り除くのには手間がかかる。
【００２５】
また従来の遊技機や本実施形態の遊技機では、左右２つの受入部４４のうち一方の受入部４４は突出部３８を受け入れているが、図６に示すように、他方の受入部４４は突出部３８を受け入れていない状態であっても、図４で示した支持部材４６を支持状態にして前枠１０に対してガラスユニット８を不適切な状態ではあるが取り付けることができてしまう。しかし、このような状態で図１で示したように前枠１０を外枠２に対して閉じてしまうと、外枠２の内部に設けられている部品にガラスユニット８が干渉してしまい部品が破損したり、前枠１０からガラスユニット８が脱落したりするおそれがある。
【００２６】
そこで本実施形態の遊技機では、図７に示すように、従来の遊技機の受入部４４と同様に上方から突出部３８を受け入れることができるように受入部４４の上部を開口としつつも、受入部４４には、突出部３８を受け入れる受入空間を閉塞する閉塞部５０を設けている。これにより本実施形態の遊技機では、図７中の矢印Ｒに示すように、受入部４４に向けて遊技球が移動してきても、遊技球が受入部４４に嵌ることがないようにすることができる。
【００２７】
図８（Ａ）および（Ｂ）は、本実施形態の遊技機の受入部４４と閉塞部５０の正面図である。図８（Ａ）に示すように、閉塞部５０は、受入部４４の上部の開口を遊技球が嵌らないように塞ぐ上面部５２と、上面部５２の左右から下方に伸びる側面部５４と、左右の側面部５４の間に設けられ、上面部５２を上方に向けて付勢するバネ５６（付勢部）とを備えている。
【００２８】
ここで側面部５４は、受入部４４の底部に形成されているスリット５８を貫通しているとともに、受入部４４の底部よりも下方に伸びた側面部５４の下端は、スリット５８を通過できず受入部４４の底部に引っ掛かるように鉤状に形成されている。これにより閉塞部５０は、図８（Ａ）に示す状態を上限として、受入部４４に対して上下にスライド可能に取り付けられている。そして図８（Ａ）に示す状態では、上面部５２の上面が受入部４４の受入空間の上端よりも上方に位置するように、側面部５４の上下方向の長さが設定されている。
【００２９】
またバネ５６は、上面部５２の下面と受入部４４の受入空間の底面を接続するように設けられており、閉塞部５０に外力が付与されない状態では、閉塞部５０は図８（Ａ）に示す状態に維持される。ここでバネ５６の付勢力は、閉塞部５０に遊技球が乗っても閉塞部５０が下方に移動しないように設定されている。
【００３０】
そして、上面部５２の上面に対して所定以上の外力が下方に向けて付与されると、図８（Ｂ）に示す状態を下限として、バネ５６の付勢力に抗して閉塞部５０が下方に移動する。ここで受入部４４の底部には、閉塞部５０の上面部５２を収納可能な収納空間が形成されており、これにより閉塞部５０は、上面部５２の上面が受入部４４の受入空間の底面よりも低くなる位置まで下方に移動可能となっている。
【００３１】
一方、上面部５２の上面に対して所定以上の外力が下方に向けて付与されなくなると、閉塞部５０はバネ５６の付勢力により上方に移動され、図８（Ａ）に示す状態に自動的に復帰する。
【００３２】
図９は、本実施形態の遊技機において、受入部４４がガラスユニット８の突出部３８を受け入れている状態を示す断面斜視図である。図９に示すように、受入部４４が突出部３８を受け入れる際には、突出部３８は閉塞部５０の上面部５２と接触し、ガラスユニット８の重量によって閉塞部５０を下方に移動させる。
【００３３】
ここで閉塞部５０は、前枠１０にガラスユニット８を取り付ける作業中、あるいは前枠１０にガラスユニット８を取り付けた状態の双方において、図８（Ｂ）で示した下限位置まで達しないように余裕を持って上下方向の移動範囲が設けられている。すなわち、受入部４４に閉塞部５０が設けられていても、受入部４４がガラスユニット８の突出部３８を受け入れた状態で、前枠１０に対してガラスユニット８が適切な位置に位置決めされるように、閉塞部５０が下方に移動可能となっている。
【００３４】
こうして本実施形態では、前枠１０にガラスユニット８を取り付けていない状態では、図８（Ａ）に示す上限位置に閉塞部５０が維持されることにより、受入部４４に向けて遊技球が移動してきても受入部４４に遊技球が嵌らないようにすることができるとともに（閉塞状態）、前枠１０にガラスユニット８を取り付ける際には、図８（Ｂ）に示す下限位置まで閉塞部５０が下方に移動可能となっていることにより、受入部４４がガラスユニット８の突出部３８を受け入れて、前枠１０に対してガラスユニット８が適切な位置に位置決めされるようにすることができる（受入状態）。
【００３５】
そして、前枠１０からガラスユニット８が取り外されると、閉塞部５０はバネ５６の付勢力により上方に移動されて図８（Ａ）に示す状態に自動的に復帰し、受入部４４に遊技球が嵌らないようにすることができる。
【００３６】
更に本実施形態では、図１０に示すように、前枠１０にガラスユニット８が適切に取り付けられている状態（受入状態）では、図７で示した前枠１０にガラスユニット８が取り付けられていない状態（閉塞状態）と比較して、閉塞部５０の側面部５４が受入部４４の底部から下方に大きく突出している。すなわち、前枠１０にガラスユニット８が適切に取り付けられていない状態では、閉塞部５０の側面部５４の側面（特定部）が、受入部４４の下方（特定位置）において視認不能となっているが、前枠１０にガラスユニット８が適切に取り付けられている状態では、閉塞部５０の側面部５４の側面（特定部）が、受入部４４の下方（特定位置）において視認可能となっている。
【００３７】
従って本実施形態では、前枠１０にガラスユニット８を取り付けた際には、受入部４４の下方において閉塞部５０の側面部５４の側面が視認可能となっていることを作業者が確認した場合には、前枠１０にガラスユニット８が適切に取り付けられていると判断することができる。一方、前枠１０にガラスユニット８を取り付けたにも関わらず、受入部４４の下方において閉塞部５０の側面部５４の側面が視認不能となっていることを作業者が確認した場合には、前枠１０にガラスユニット８が適切に取り付けられていないと判断することができる。すなわち本実施形態では、前枠１０にガラスユニット８が適切に取り付けられているか否かを識別するための識別部として閉塞部５０の側面部５４が機能している。
【００３８】
こうして本実施形態では、図６で示したように、他方の受入部４４が突出部３８を受け入れていない状態で前枠１０に対してガラスユニット８が不適切に取り付けられてしまうという事態が発生しないようにすることができる。特に、図７に示す側面部５４の側面を目立つ色に着色すれば、前枠１０にガラスユニット８が適切に取り付けられているか否かを作業者が確認しやすくなる。また側面部５４の側面に、前枠１０にガラスユニット８が適切に取り付けられている場合に視認可能となるように、目盛りや記号などの標識を付してもよい。
【００３９】
本発明は、上記の実施形態で説明したものに限らず、種々の変形実施が可能であり、以下に変形例を紹介する。なお、上記実施形態や、以下において変形例として説明する各種の手法は、本発明を実現する制御手法として適宜組み合わせて採用することができる。
【００４０】
例えば上記実施形態では、前枠１０にガラスユニット８が適切に取り付けられているか否かによって、閉塞部５０の一部である側面部５４の側面が受入部４４の下方において視認可能となったり視認不能となったりする例を挙げて説明したが、閉塞部５０とは異なる部材として設けられているが閉塞部５０と連動して移動する特定部が、前枠１０にガラスユニット８が適切に取り付けられているか否かによって特定位置において視認可能となったり視認不能となったりするようにしてもよい。
【００４１】
また上記実施形態では、閉塞部５０が受入部４４に対して上下にスライド可能に取り付けられていることにより閉塞部５０が受入状態と閉塞状態との間で変化する例を上げて説明したが、閉塞部５０に代えて、図１１に示すように、受入部４４の受入空間の上部の開口を塞ぐように２つのゴム製板状部材である閉塞板１００と閉塞板１０２を設けるようにしてもよい。詳細には図１１の例では、左側の閉塞板１００は、左端が受入部４４の上部の開口の左縁に取り付けられ、右端が自由端となっており、右側の閉塞板１０２は、右端が受入部４４の上部の開口の右外縁に取り付けられ、左端が自由端となっている。
【００４２】
そして閉塞板１００と閉塞板１０２は、閉塞板１００と閉塞板１０２に外力が付与されない状態では、図１１の実線で示す状態に維持されるとともに、遊技球が乗っても撓まないように素材、形状、サイズが選定されている。
【００４３】
そして、閉塞板１００あるいは閉塞板１０２の上面に対して所定以上の外力が下方に向けて付与されると、図１１の破線で示す状態となるように、閉塞板１００と閉塞板１０２が撓むようになっている。
【００４４】
一方、閉塞板１００あるいは閉塞板１０２の上面に対して所定以上の外力が下方に向けて付与されなくなると、閉塞板１００と閉塞板１０２の弾性力により図１１の実線で示す状態に自動的に復帰する。
【００４５】
従って図１１の例では、前枠１０にガラスユニット８を取り付けていない状態では、閉塞板１００と閉塞板１０２が図１１の実線で示す状態に維持されることにより、受入部４４に向けて遊技球が移動してきても受入部４４に遊技球が嵌らないようにすることができるとともに（閉塞状態）、前枠１０にガラスユニット８を取り付ける際には、閉塞板１００と閉塞板１０２が図１１の破線で示す状態に変形可能となっていることにより、受入部４４がガラスユニット８の突出部３８を受け入れて、前枠１０に対してガラスユニット８が適切な位置に位置決めされるようにすることができる（受入状態）。
【００４６】
そして、前枠１０からガラスユニット８が取り外されると、閉塞板１００と閉塞板１０２は弾性力により図１１の実線で示す状態に自動的に復帰し、受入部４４に遊技球が嵌らないようにすることができる。
【符号の説明】
【００４７】
２  外枠、４  遊技領域、６  遊技盤、８  ガラスユニット、１０  前枠、
１２  枠ランプ、１４  スピーカー、１６  上皿、１８  払出口、
２０  グリップユニット、２２  供給口、２４  下皿、２６  前枠軸、
２８  シリンダー錠、３０  フック、３２  引掛部、３４  ガラス板、３６  ガラス枠、
３８  突出部、４０  前面開口、４２  支持面、４４  受入部、４６  支持部材、
４８  支持軸、５０  閉塞部、５２  上面部、５４  側面部、５６  バネ、
５８  スリット、１００・１０２  閉塞板
【図１】
2013230207.tif 000003
【図２】
2013230207.tif 000004
【図３】
2013230207.tif 000005
【図４】
2013230207.tif 000006
【図５】
2013230207.tif 000007
【図６】
2013230207.tif 000008
【図７】
2013230207.tif 000009
【図８】
2013230207.tif 000010
【図９】
2013230207.tif 000011
【図１０】
2013230207.tif 000012
【図１１】
2013230207.tif 000013